(57)【要約】【課題】波付樹脂管を切断し、あるいは縦割りする作業が可能になり、市販のカッターに装着して使用することができる波付樹脂管用縦割り切断補助具を提供する。【解決手段】カッターＰの先端に外嵌装着する固定体１０を設ける。固定体１０の先端に、波付樹脂管Ｑの両側面を挟持する挟持体２０を設ける。波付樹脂管Ｑを縦割りする向きに切り刃Ｐ１を固定する縦割り挟持部２１を設ける。波付樹脂管Ｑに対して切り刃Ｐ１を横向きに固定する切断挟持部２２を設ける。縦割り挟持部２１と切断挟持部２２とを選択して波付樹脂管Ｑを加工する。【選択図】  図１
2018075670.tif 000002
【特許請求の範囲】
【請求項１】
先端にスライド自在な切り刃を備えたカッターの先端部に着脱自在に装着し、波付樹脂管の長手方向に切目を入れる切り刃の向き又は波付樹脂管を横に切断する切り刃の向きをそれぞれ固定する波付樹脂管用縦割り切断補助具であって、カッターの先端部に外嵌装着する固定体と、該固定体の先端に設けられ波付樹脂管の側面を挟持する挟持体とを備え、該挟持体は、波付樹脂管の長手方向に沿った向きに切り刃を固定する対を成した縦割り挟持部と、波付樹脂管に対して切り刃を横向きに固定する対を成した断挟持部とが併設され、縦割り挟持部又は切断挟持部を選択して波付樹脂管を挟持しながら切り刃で切断加工するように構成したことを特徴とする波付樹脂管用縦割り切断補助具。
【請求項２】
前記挟持体は、前記固定体を外嵌したカッターの切り刃を中心とし切り刃の先端方向に向けて斜め放射状に延長された４本の固定腕を備え、該固定腕を選択して前記波付樹脂管を挟持した際に、前記切り刃が前記波付樹脂管の長手方向に沿った向きとなる状態で挟持する二対の固定腕相互間を前記縦割り挟持部とし、前記切り刃が前記波付樹脂管に対して横向きとなる状態で挟持する二対の固定腕相互間を前記切断挟持部とする請求項１記載の波付樹脂管用縦割り切断補助具。
【請求項３】
前記カッターは、前記カッターの先端から出没する前記切り刃を囲んで保持する切り刃保持部を備え、前記固定体は、該切り刃保持部に外嵌する嵌合部と、該嵌合部の側面に設けられ該嵌合部を切り刃保持部の側面に固定する固定具とを備えた請求項１記載の波付樹脂管用縦割り切断補助具。
【発明の詳細な説明】
【技術分野】
【０００１】
本発明は、例えばPF管やCD管等の波付樹脂管を切断し、あるいは長手方向に切目を入れるなどの加工に使用し、特に、加工する波付樹脂管のサイズや加工手段を任意に変更することができる波付樹脂管用縦割り切断補助具に関するものである。
【背景技術】
【０００２】
電気工事におけるケーブル配線工事において、たとえばケーブルやケーブルラックの端部、あるいは全ねじをPF管にて覆いケーブル保護を行う作業がある。この場合、PF管を所定長さに切断し、あるいは長手方向に切目を入れる加工等が必要になる。ところが、カッターや電工ナイフを使用してPF管等の波付樹脂管を加工する作業は、樹脂管の硬度や波形状等により切断作業が不安定になることから、厳重な注意を払う必要のある危険な作業になっている。
【０００３】
一方、FEP管等の波付樹脂管の長手方向に切目を入れる工具として、特許文献１に記載のFEP管縦割り工具が提案されている。この縦割り工具は、FEP管を略平面状に広げる際に、FEP管の管壁を長手方向に直線状に切断する回転刃を備えたものである。そして、FEP管を挿通支持する略筒形状のFEP管ガイド部と、FEP管ガイド部の開口部に回転刃を固定する切断器具固定部とを設けたものである。
【０００４】
また、フレキシブルな波形管の谷底部分を切断する波形管カッターが特許文献２に記載されている。このカッターは、波形管をカッター本体の凹所に押し込んで切断姿勢に位置決めした後、波形管の谷底部分を切断刃の刃先で切り込むようにしている。これにより波形管の谷底部分を確実に切り込むことができるというものである。
【先行技術文献】
【特許文献】
【０００５】
【特許文献１】特開２００８−１７８９２１号公報
【特許文献２】特許第４８４５５２１号公報
【発明の概要】
【発明が解決しようとする課題】
【０００６】
ところが、特許文献１に記載の縦割り工具は、FEP管を縦割りしてFEP管を略平面状に広げるために使用する工具なので、波付樹脂管の長手方向に沿って切り込みを入れることは可能でも、波付樹脂管を横に切断することはできない。したがって、この縦割り工具を使用してPF管等の波付樹脂管を切断加工することは困難である。
【０００７】
一方、特許文献２に記載の波形管カッターは、波付樹脂管を横に切断することは可能でも、波付樹脂管の縦方向に切れ目を入れることはできない構成である。そのため、この波形管カッターもPF管等の波付樹脂管を縦割り加工する作業に適していない。
【０００８】
このように、従来の工具では、一つの工具で波付樹脂管を縦割りするか、あるいは横に切断するといった一方の機能に限定されていた。したがって、PF管を縦割りし、あるいは切断するなどの加工に適した工具は未だ提供されておらず、PF管の加工は現在でも困難で危険な作業になっている。
【０００９】
そこで、本発明は上述の課題を解消すべく創出されたもので、PF管等の波付樹脂管を加工する際に、波付樹脂管を縦割りし、あるいは横に切断する作業が可能になり、しかも波付樹脂管の複数のサイズにも適応することができ、更には常備している市販のカッターに装着して使用することも可能な波付樹脂管用縦割り切断補助具の提供を目的とするものである。
【課題を解決するための手段】
【００１０】
上述の目的を達成すべく本発明における第１の手段は、先端にスライド自在な切り刃Ｐ１を備えたカッターＰの先端部に着脱自在に装着し、波付樹脂管Ｑの長手方向に切目を入れる切り刃Ｐ１の向き又は波付樹脂管Ｑを横に切断する切り刃Ｐ１の向きをそれぞれ固定する波付樹脂管用縦割り切断補助具であって、カッターＰの先端部に外嵌装着する固定体１０と、該固定体１０の先端から延長され波付樹脂管Ｑの側面を挟持する挟持体２０とを備え、該挟持体２０は、波付樹脂管Ｑの長手方向に沿った向きに切り刃Ｐ１を固定する縦割り挟持部２１と、波付樹脂管Ｑに対して切り刃Ｐ１を横向きに固定する切断挟持部２２とが併設され、縦割り挟持部２１又は切断挟持部２２を選択して波付樹脂管Ｑを挟持しながら切り刃Ｐ１で加工するように構成したことにある。
【００１１】
第２の手段において、前記挟持体２０は、前記固定体１０を外嵌したカッターＰの切り刃Ｐ１を中心とし切り刃Ｐ１の先端方向に向けて斜め放射状に延長された４本の固定腕２３を備え、該固定腕２３を選択して前記波付樹脂管Ｑを挟持した際に、前記切り刃Ｐ１が前記波付樹脂管Ｑの長手方向に沿った向きとなる状態で挟持する二対の固定腕２３相互間を前記縦割り挟持部２１とし、前記切り刃Ｐ１が前記波付樹脂管Ｑに対して横向きとなる状態で挟持する二対の固定腕２３相互間を前記切断挟持部２２とするものである。
【００１２】
第３の手段において、前記カッターＰは、前記カッターＰの先端から出没する前記切り刃Ｐ１を囲んで保持する切り刃保持部Ｐ２を備え、前記固定体１０は、該切り刃保持部Ｐ２に外嵌する嵌合部１１と、該嵌合部１１の側面に設けられ該嵌合部１１を切り刃保持部Ｐ２の側面に固定する固定具１２とを備えたものである。
【発明の効果】
【００１３】
本発明の請求項１のごとく、波付樹脂管Ｑの長手方向に沿った向きに切り刃Ｐ１を固定する縦割り挟持部２１と、波付樹脂管Ｑに対して切り刃Ｐ１を横向きに固定する切断挟持部２２とを併設し、これらの縦割り挟持部２１や切断挟持部２２を選択して波付樹脂管ＱをカッターＰにて加工するように構成したことにより、PF管等の波付樹脂管Ｑを加工する際に、一つの工具で波付樹脂管Ｑを縦割りし、あるいは横に切断する作業が可能になった。しかも、カッターＰの切り刃Ｐ１の向きは挟持体２０により安定しているので、極めて安全且つ正確な加工ができるものである。
【００１４】
請求項２のように、挟持体２０は、固定体１０を外嵌したカッターＰの切り刃Ｐ１を中心とし該切り刃Ｐ１の先端方向に向けて斜め放射状に延長された４本の固定腕２３を備え、この固定腕２３にて縦割り挟持部２１と切断挟持部２２とを併設しているので、波付樹脂管Ｑの径が変更されても、固定体１０から切り刃Ｐ１の先端方向に向けて斜め四方向に延長された４本の固定腕２３は、常に波付樹脂管Ｑの側面に接触することになる。したがって、波付樹脂管Ｑの複数のサイズにも適応することができる。更に、波付樹脂管ＱをPF管とした場合に、複層構造のPFDや単層構造のPFSの加工にも兼用できるものである。
【００１５】
請求項３のごとく、固定体１０は、カッターＰ先端の切り刃保持部Ｐ２に外嵌する嵌合部１１と、該嵌合部１１の側面に設けられ嵌合部１１を切り刃保持部Ｐ２に固定する固定具１２とを備えたものであるから、作業者が常備している市販のカッターでも簡単に装着して使用することができる。
【図面の簡単な説明】
【００１６】
【図１】本発明を装着する状態を示す分解斜視図である。
【図２】本発明の装着状態を示す要部断面図である。
【図３】本発明の一実施例を示す平面図である。
【図４】本発明の一実施例を示す底面図である。
【図５】本発明の縦割り挟持部を使用した状態を示す正面図である。
【図６】本発明の縦割り挟持部を使用した状態を示す側面図である。
【図７】本発明の切断挟持部を使用した状態を示す正面図である。
【図８】本発明の切断挟持部を使用した状態を示す側面図である。
【発明を実施するための形態】
【００１７】
本発明切断補助具は、スライド自在な切り刃Ｐ１を備えたカッターＰの先端に着脱自在に装着し、波付樹脂管ＱをカッターＰにて切断加工する際に使用するものである。本発明の構成は固定体１０と挟持体２０とを備え、カッターＰの切り刃Ｐ１の向きを選択して波付樹脂管Ｑの側面を挟持できるように構成している。
【００１８】
固定体１０は、カッターＰの先端に外嵌装着する部位で、嵌合部１１と固定具１２とを備えている（図１参照）。嵌合部１１は、カッターＰ先端部の切り刃保持部Ｐ２に外嵌する環状部位である。スライド自在な切り刃Ｐ１を備えた市販のカッターＰには、予め切り刃保持部Ｐ２が備えられている。そこで、この切り刃保持部Ｐ２に嵌合部１１を着脱自在に外嵌することで、作業員が常備しているカッターＰに固定して使用することが可能になる。
【００１９】
固定具１２は、この嵌合部１１に設けられた固定部材で、嵌合部１１を切り刃保持部Ｐ２に固定する（図２参照）。図示の固定具１２は、嵌合部１１の側面に設けられたネジ孔１３にネジ止めする固定ネジ状を成し、切り刃保持部Ｐ２の側面に圧着固定するものである。このように、固定具１２にて切り刃保持部Ｐ２を固定することで、市販のカッターＰでも簡単に装着することが可能になる。尤も、市販のカッターＰではなく、予め刃保持部Ｐ２の形状を変更して固定体１０の装着を更に容易にしたカッターＰを使用することも可能である。
【００２０】
挟持体２０は、波付樹脂管Ｑの側面を挟持する部位であり、固定体１０の先端部に設けられている（図１参照）。この挟持体２０は、縦割り挟持部２１と切断挟持部２２とを併設したものである。縦割り挟持部２１は、切り刃Ｐ１の向きを波付樹脂管Ｑの長手方向に沿うように固定する部位で、波付樹脂管Ｑの長手方向に切目を入れて縦割りする際に使用する（図３参照）。一方、切断挟持部２２は、波付樹脂管Ｑに対して切り刃Ｐ１を横向きに固定する部位で、波付樹脂管Ｑを横に切断する際に使用する（図４参照）。
【００２１】
図示の挟持体２０は、固定体１０から出没する切り刃Ｐ１の刃先を中心として斜め先端向きの四方向に放射状に延長された４本の固定腕２３を備えたものである（図３参照）。そして、この固定腕２３相互間で挟持する波付樹脂管Ｑの向きを変更することで、縦割り挟持部２１と切断挟持部２２とを使い分けるものである（図４参照）。
【００２２】
すなわち、固定腕２３の相互間で波付樹脂管Ｑを挟持したときに、切り刃Ｐ１の向きが波付樹脂管Ｑの長手方向に沿った向きになる二対の固定腕２３相互間を縦割り挟持部２１とする（図５参照）。この縦割り挟持部２１を波付樹脂管Ｑの両側に挟着すると、切り刃Ｐ１は波付樹脂管Ｑの長手方向に沿った状態で固定される（図６参照）。そこで、カッターＰの切り刃Ｐ１の突出長さを調整した後、縦割り挟持部２１にて波付樹脂管Ｑの側面を挟持した状態で切り刃Ｐ１先端を波付樹脂管Ｑ側面に差し込み、カッターＰを波付樹脂管Ｑの長手方向に沿ってスライド移動させると、切り刃Ｐ１による波付樹脂管Ｑの縦割り作業を正確に行うことができる。
【００２３】
一方、固定腕２３の相互間で波付樹脂管Ｑを挟持したときに、切り刃Ｐ１の向きが波付樹脂管Ｑに対して横向きになる二対の固定腕２３相互間を切断挟持部２２とする（図７参照）。この切断挟持部２２にて波付樹脂管Ｑを挟持すると、切り刃Ｐ１は波付樹脂管Ｑの長手方向に対して横向きに固定される（図８参照）。そこで、縦割り挟持部２１にて波付樹脂管Ｑを挟着した状態で切り刃Ｐ１先端を波付樹脂管Ｑの側面に差し込みカッターＰを回転させると、切り刃Ｐ１による波付樹脂管Ｑの切断作業を正確に行うことができる（図７参照）。
【００２４】
更に、固定腕２３は、固定体１０を外嵌したカッターＰの切り刃Ｐ１を中心とし切り刃Ｐ１の先端方向に向けて斜め放射状に延長されているので、波付樹脂管Ｑの径が異なっても固定腕２３内に挟着することが可能になる（図５、図７参照）。図示例では、大径樹脂管Ｑ１と小径樹脂管Ｑ２との二種類の波付樹脂管Ｑを示しているが、更に多くの径に適合させることも可能である。
【００２５】
尚、本発明の固定体１０や挟持体２０等の構成、並びにカッターＰの切り刃Ｐ１や切り刃保持部Ｐ２の形状等は図示例に限定されるものではなく、本発明の要旨を変更しない範囲での設計変更は自由である。また、本発明において波付樹脂管Ｑを加工する工具として説明しているが、切り刃Ｐ１で切断可能な他の管の加工にも使用することができる。
【符号の説明】
【００２６】
Ｐ  カッター
Ｐ１  切り刃
Ｐ２  切り刃保持部
Ｑ  波付樹脂管
Ｑ１  大径樹脂管
Ｑ２  小径樹脂管
１０  固定体
１１  嵌合部
１２  固定具
１３  ネジ孔
２０  挟持体
２１  縦割り挟持部
２２  切断挟持部
２３  固定腕
【図１】
2018075670.tif 000003
【図２】
2018075670.tif 000004
【図３】
2018075670.tif 000005
【図４】
2018075670.tif 000006
【図５】
2018075670.tif 000007
【図６】
2018075670.tif 000008
【図７】
2018075670.tif 000009
【図８】
2018075670.tif 000010
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
先端にスライド自在な切り刃を備えたカッターの先端部に着脱自在に装着し、波付樹脂管の長手方向に切目を入れる切り刃の向き又は波付樹脂管を横に切断する切り刃の向きをそれぞれ固定する波付樹脂管用縦割り切断補助具であって、カッターの先端部に外嵌装着する固定体と、
該固定体の先端から延長され、固定体を外嵌したカッターの切り刃を中心として切り刃の先端方向に向けて斜め放射状に延長された４本の固定腕を有し、波付樹脂管の側面を挟持する挟持体とを備え、
該固定腕を選択して前記波付樹脂管を挟持した際に、切り刃が波付樹脂管の長手方向に沿った向きとなる状態で挟持する二対の固定腕相互間を縦割り挟持部とし、切り刃が波付樹脂管に対して横向きとなる状態で挟持する二対の固定腕相互間を切断挟持部とし、
縦割り挟持部又は切断挟持部を選択して波付樹脂管を挟持しながら切り刃で切断加工するように構成したことを特徴とする波付樹脂管用縦割り切断補助具。
【請求項２】
前記カッターは、前記カッターの先端から出没する前記切り刃を囲んで保持する切り刃保持部を備え、前記固定体は、該切り刃保持部に外嵌する嵌合部と、該嵌合部の側面に設けられ該嵌合部を切り刃保持部の側面に固定する固定具とを備えた請求項１記載の波付樹脂管用縦割り切断補助具。
【手続補正２】
【補正対象書類名】明細書
【補正対象項目名】００１０
【補正方法】変更
【補正の内容】
【００１０】
上述の目的を達成すべく本発明における第１の手段は、先端にスライド自在な切り刃Ｐ１を備えたカッターＰの先端部に着脱自在に装着し、波付樹脂管Ｑの長手方向に切目を入れる切り刃Ｐ１の向き又は波付樹脂管Ｑを横に切断する切り刃Ｐ１の向きをそれぞれ固定する波付樹脂管用縦割り切断補助具であって、カッターＰの先端部に外嵌装着する固定体１０と、該固定体１０の先端から延長され、固定体１０を外嵌したカッターＰの切り刃Ｐ１を中心として切り刃Ｐ１の先端方向に向けて斜め放射状に延長された４本の固定腕２３を有し、波付樹脂管Ｑの側面を挟持する挟持体２０と、を備え、該固定腕２３を選択して波付樹脂管Ｑを挟持した際に、切り刃Ｐ１が波付樹脂管Ｑの長手方向に沿った向きとなる状態で挟持する二対の固定腕２３相互間を縦割り挟持部２１とし、切り刃Ｐ１が波付樹脂管Ｑに対して横向きとなる状態で挟持する二対の固定腕２３相互間を切断挟持部２２とし、縦割り挟持部２１又は切断挟持部２２を選択して波付樹脂管Ｑを挟持しながら切り刃Ｐ１で加工するように構成したことにある。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第２の手段において、前記カッターＰは、前記カッターＰの先端から出没する前記切り刃Ｐ１を囲んで保持する切り刃保持部Ｐ２を備え、前記固定体１０は、該切り刃保持部Ｐ２に外嵌する嵌合部１１と、該嵌合部１１の側面に設けられ該嵌合部１１を切り刃保持部Ｐ２の側面に固定する固定具１２とを備えたものである。
【手続補正５】
【補正対象書類名】明細書
【補正対象項目名】００１４
【補正方法】変更
【補正の内容】
【００１４】
しかも、挟持体２０は、固定体１０を外嵌したカッターＰの切り刃Ｐ１を中心とし該切り刃Ｐ１の先端方向に向けて斜め放射状に延長された４本の固定腕２３を備え、この固定腕２３にて縦割り挟持部２１と切断挟持部２２とを併設しているので、波付樹脂管Ｑの径が変更されても、固定体１０から切り刃Ｐ１の先端方向に向けて斜め四方向に延長された４本の固定腕２３は、常に波付樹脂管Ｑの側面に接触することになる。したがって、波付樹脂管Ｑの複数のサイズにも適応することができる。更に、波付樹脂管ＱをPF管とした場合に、複層構造のPFDや単層構造のPFSの加工にも兼用できるものである。
【手続補正６】
【補正対象書類名】明細書
【補正対象項目名】００１５
【補正方法】変更
【補正の内容】
【００１５】
請求項２のごとく、固定体１０は、カッターＰ先端の切り刃保持部Ｐ２に外嵌する嵌合部１１と、該嵌合部１１の側面に設けられ嵌合部１１を切り刃保持部Ｐ２に固定する固定具１２とを備えたものであるから、作業者が常備している市販のカッターでも簡単に装着して使用することができる。